(57)【要約】【課題】装飾が立体感を有するとともに、装飾の変更やバリエーションの増加が容易な時計を提供する。【解決手段】時刻を示す針１４ｃと、針１４ｃの後側において前後に所定の距離をおいて離れて設けられる透明表板１１および裏板１２と、透明表板１１および裏板１２との間に花１３と、を有する。花１３は、複数の花弁１３ｂを有し、それぞれ針１４ｃの回転軸線を中心として略環状に配列されると共に前後方向に重なり合うように配列されていることから時計１の装飾が立体感を有する。【選択図】図３
0003171494.tif 000002
【実用新案登録請求の範囲】
【請求項１】
時刻を示す針と、
前記針の後側において前後に所定の距離をおいて離れて設けられる透明表板および裏板と、
前記透明表板および前記裏板との間に花と、
を有することを特徴とする時計。
【請求項２】
前記花は、複数の花弁を有し、
前記複数の花弁は、それぞれ前記針の回転軸を中心として略環状に配列されると共に前後方向に重なり合うように配列されることを特徴とする請求項１に記載の時計。
【請求項３】
前記透明表板にインデックスが施されていることを特徴とする請求項１または２に記載の時計。
【請求項４】
前記針の回転軸の周りに設けられたスペーサによって前記透明表板および前記裏板が前後に所定の距離をおいて離れて設けられることを特徴とする請求項１ないし３のいずれか１項に記載の時計。
【請求項５】
前記スペーサは、前記花と前記透明表板との間に配置されることを特徴とする請求項４に記載の時計。
【請求項６】
前記針を駆動するムーブメントの本体部は、前記裏板の後側に設けられることを特徴とする請求項１ないし５のいずれか１項に記載の時計。
【考案の詳細な説明】
【技術分野】
【０００１】
本考案は、時計に関するものである。特に、時刻を示す針と、針の後側に設けられる文字盤とを有する時計に関するものである。
【背景技術】
【０００２】
一般的なアナログ式の時計は、文字盤（ダイヤルとも称する）とムーブメントとを有する。そして、ムーブメントの針が文字盤の前面側に設けられ、ムーブメントの本体部が文字盤の後側に設けられる。文字盤には、インデックス（時刻目盛となる文字や記号）が設けられる。また、文字盤には、たとえば特許文献１に記載のように、種々の装飾が施されることがある。
【先行技術文献】
【特許文献】
【０００３】
【特許文献１】特開２００５−３５１７２２号公報
【考案の概要】
【考案が解決しようとする課題】
【０００４】
文字盤の装飾には、たとえば文字や記号や模様などを印刷する方法が用いられている。しかしながら、印刷によって施された装飾は、立体感に乏しいという問題点を有する。また、印刷によって装飾を施す構成では、文字盤と文字盤に施される装飾とが分離不可能であるため、装飾のバリエーションを増やすためには文字盤の種類を増やす必要がある。このため、時計の部品の管理などが煩雑である。また、多品種少量生産への対応が困難である。上記実情に鑑み、本考案が解決しようとする課題は、立体感を有する装飾が施される時計を提供することである。また、本考案が解決しようとする課題は、文字盤の装飾の変更やバリエーションの増加が容易で、多品種少量生産が容易な時計を提供することである。
【課題を解決するための手段】
【０００５】
前記課題を解決するため、本考案は、時刻を示す針と、前記針の後側において前後に所定の距離をおいて離れて設けられる透明表板および裏板と、前記透明表板および前記裏板との間に花と、を有することを特徴とする。
また、前記花は、複数の花弁を有し、前記複数の花弁は、それぞれ前記針の回転軸線を中心として略環状に配列されると共に前後方向に重なり合うように配列されることを特徴とする。
また、前記透明表板にインデックスが施されていることを特徴とする。
また、前記針の回転軸の周りに設けられたスペーサによって前記透明表板および前記裏板が前後に所定の距離をおいて離れて設けられることを特徴とする。
また、前記スペーサは、前記花と前記透明表板との間に配置されることを特徴とする。
また、前記針を駆動するムーブメントの本体部は、前記裏板の後側に設けられることを特徴とする。
【考案の効果】
【０００６】
本考案によれば、前後に所定の距離をおいて離れて設けられる透明表板および裏板との間に花を配置したことによって、装飾に立体感を持たせることができる。したがって、時計の美観の向上を図ることができる。また、本考案によれば、花を交換することによって、文字盤の装飾を容易に変更できる。
【図面の簡単な説明】
【０００７】
【図１】図１は、本考案の時計の構成を模式的に示す正面図である。
【図２】図２は、本考案の時計の構成を模式的に示す分解斜視図である。
【図３】図３は、本考案の時計の構成を模式的に示す断面図である。
【考案を実施するための形態】
【０００８】
以下に、本考案の実施形態について、図面を参照して詳細に説明する。図１は、本考案の時計１の構成を模式的に示す正面図である。図２は、本考案の時計１の構成を模式的に示す分解斜視図である。図３は、本考案の時計１の構成を模式的に示す断面図である。なお、説明の便宜上、文字盤が形成される側を前側と称し、その反対側を後側と称する。
【０００９】
図１および図２に示すように、本考案の時計１は、透明表板１１と、裏板１２と、装飾物としての花１３と、ムーブメント１４と、第一のスペーサ１５と、第二のスペーサ１６と、ナット１７とを有する。
【００１０】
図２に示すように、透明表板１１は、略円形状に形成され、ガラスやアクリル系の樹脂などといった、透明な材料により形成される平板状の部材が用いられる。透明表板１１の中心には、ナット１７の一部が挿通可能な貫通孔１１ａが形成される。また、透明表板１１には、時間目盛として機能するインデックス１１ｂが施されている。なお、インデックス１１ｂは、使用者の手に触れにくい透明表板１１の裏面に印刷などすることが好ましい。
【００１１】
裏板１２は、透明表板１１の裏側に所定の距離をおいて離れて配置される。裏板１２は、透明表板１１の同サイズの略円形状に形成され、ガラスやアクリル系の樹脂などといった、透明な材料により形成される平板状の部材が用いられる。裏板１２の中心には、ムーブメント１４の突出部１４ｂが挿通可能な貫通孔１２ａが形成される。なお、裏板１２には、透明な材質で形成される場合に限られず、透明ではない着色された部材を用いることができる。
【００１２】
花１３は、透明表板１１と裏板１２との間で形成される空間に配置され、時計１を装飾する。本実施形態では、花１３としてひまわりを模擬した造花が用いられる。花１３の中心には、ムーブメント１４の突出部１４ｂが挿通可能な貫通孔１３ａが形成される。花１３は、湾曲して形成された複数の花弁１３ｂを有し、それぞれが貫通孔１３ａ側から外側に向かって広がるように配置される。すなわち、花１３は、花弁１３ｂが略環状に配列されると共に前後方向にも重なり合うように配列され、立体形状を有している。なお、本実施形態では、花１３としてひまわりを用いているために、花１３の中心にいわゆる管状花部１３ｃを有しているが、使用する花によっては花弁１３ｂのみで構成することができる。
【００１３】
ムーブメント１４は、いわゆるアナログ式であり、時刻を示す針１４ｃを駆動する駆動機構が設けられる本体部１４ａと、時刻を示す針１４ｃ（時針、分針、秒針）とを有する。本体部１４ａには突出部１４ｂが形成され、突出部１４ｂの周囲には、ナット１７と螺合する雄ネジ部が設けられている。また、針１４ｃには、回転軸１４ｄが設けられている。本体部１４ａは裏板１２の裏側に固定され、針１４ｃは透明表板１１の表側から回転軸１４ｄを突出部１４ｂに押し込むことで、ムーブメント１４が駆動可能に組み立てられる。なお、ムーブメント１４には、従来公知の構成が適用できる。したがって、詳細な説明は省略する。
【００１４】
第１のスペーサ１５は、透明表板１１と花１３との間に配置される。第１のスペーサ１５は、時計１の中心において、透明表板１１と裏板１２とを所定の距離をおいて離れる状態に維持する部材である。第１のスペーサ１５は、前後方向に貫通する貫通孔１５ａが形成される環状または筒状の部材である。
具体的には、図３に示すように、第１のスペーサ１５は、ムーブメント１４の突出部１４ｂを挿通させた状態で、透明表板１１の裏面と花１３の表面に当接している。したがって、第１のスペーサ１５によって透明表板１１と裏板１２との間を所定の距離をおいて離すことができ、立体形状を有する花１３が押しつぶされることなく、装飾に立体感を持たせることができる。また、第１のスペーサ１５を花１３の表面に当接させることで、花１３の固定を兼ねることができる。なお、第１のスペーサ１５は、透明表板１１と花１３との間に配置する場合に限られず、透明表板１１と裏板１２との間に配置することができる。この場合、花１３には、第１のスペーサ１５を貫通させるだけの大きさの貫通孔を形成する。また、花１３の裏面と裏板１２の表面との間に接着剤を塗布することで花１３を固定することができる。
【００１５】
第２のスペーサ１６は、透明表板１１と裏板１２との間に複数、配置されている。第２のスペーサ１６は、図１に示すように時計１の中心よりも外側において、透明表板１１と裏板１２とを所定の距離をおいて離れる状態に維持する部材である。第２のスペーサ１６は、前後方向に沿った円柱状の部材であり、等間隔で４ヶ所に配置されている。
具合的には、図３に示すように、第２のスペーサ１６は、透明表板１１の裏面と裏板１２の表面にそれぞれ当接した状態で接着剤などを用いて固定されている。第２のスペーサ１６は、第１のスペーサと共に透明表板１１と裏板１２との間を所定の距離をおいて離れる状態で維持させることができる。
【００１６】
ナット１７は、透明表板１１の貫通孔１１ａよりも大径な大径部１７ａと貫通孔１１ａよりも小径な小径部１７ｂが形成されている。ナット１７は、ムーブメント１４の突出部１４ｂに設けられた雄ネジ部に透明表板１１の前側から螺合して締結することにより、第１のスペーサ１５および第２のスペーサ１６を介して、透明表板１１と裏板１２とを所定の距離をおいて離れた状態で結合させることができる。
【００１７】
次に、本考案の時計１の組み付け構成について説明する。
まず、第２のスペーサ１６を裏板１２の外側の表面の４ヶ所に接着剤などで固定する。次に、裏板１２の裏側からムーブメント１４の本体部１４ａの突出部１４ｂを裏板１２の貫通孔１２ａに挿通させた状態で、本体部１４ａを裏板１２に接着剤などで固定する。次に、裏板１２の表面に花１３を配置する。このとき、花１３に形成された貫通孔１３ａを裏板１２の貫通孔１２ａから挿通された突出部１４ｂに差し込むように配置することで、花１３が時計１の裏板１２の中央に配置される。また、必要に応じて、花１３の裏面と裏板１２の表面とを接着剤などで固定する。
次に、第１のスペーサ１５を裏板１２の貫通孔１２ａから挿通された突出部１４ｂに差し込むことで、第１のスペーサ１５を花１３の表面に配置する。
【００１８】
次に、表側から本体部１４ａの突出部１４ｂを透明表板１１の貫通孔１１ａに挿通させるようにして、透明表板１１の裏面を第１のスペーサ１５および第２のスペーサ１６に当接させ、透明表板１１を配置する。続いて、ナット１７の小径部１７ｂを前側から透明表板１１の貫通孔１１ａに挿通させて、突出部１４ｂの雄ネジ部に螺合させて締結する。ナット１７が締結されることで、ナット１７の大径部１７ａが透明表板１１の表面に当接して、透明表板１１、裏板１２および本体部１４ａを結合させる。この状態では、透明表板１１と裏板１２との間であり、かつ針１４ｃの回転軸１４ｄの周りに配置された第１のスペーサ１５によって、花１３が位置する空間が維持される。最後に、透明表板１１の前側に時刻を示す針１４ｃの回転軸１４ｄを突出部１４ｂに差し込むことで、時計１が組立てられる。特に、花１３は、所定の距離をおいて離れている透明表板１１と裏板１２との間に配置されることから、立体形状が維持される。
【００１９】
本考案の時計１によれば、立体形状の花１３が文字盤を装飾することから、文字盤に印刷を施して装飾する構成に比較して、装飾に立体感を持たせることができる。したがって、美観の向上を図ることができる。また、本考案によれば、花１３を交換することによって、文字盤の装飾を容易に変更できる。すなわち、装飾を変更する場合であっても、文字盤として機能する透明表板１１や裏板１２は、構成を変更することなく用いることができる。したがって、時計の装飾の変更や、バリエーションの追加が容易となる。また、花１３を変更する場合であっても、透明表板１１や裏板１２の構成を変更する必要がないため、部品の種類の削減を図ることができ、部品の管理の手間の削減を図ることができる。
【００２０】
また、本実施形態では、複数の花弁１３ｂそれぞれが前後方向にも重なり合うように配列されるような奥行きがある花１３を用いていることができ、より装飾に立体感を演出することができる。
また、インデックス１１ｂを透明表板１１に施したことから、透明表板１１と裏板１２との間に大きな花１３を配置したとしてもインデックス１１ｂが隠れることがなく、使用者は常に時刻を確認することができる。
【００２１】
以上、本考案の実施形態について、図面を参照して詳細に説明したが、本考案は前記実施形態に限定されるものではない。本考案は、その趣旨を逸脱しない範囲において、種々の改変が可能である。
【００２２】
例えば、上述した実施形態では、スペーサとして第一のスペーサ１５と第二のスペーサ１６を用いて、透明表板１１と裏板１２との間を所定の距離をおいて離れた状態にする場合について説明したが、この場合に限られず、第一のスペーサ１５および第二のスペーサ１６の何れか一方のみを用いてもよい。
また、上述した実施形態では、透明表板１１の外形および裏板１２の外形が略円形である場合について説明したが、この場合に限られず、略四辺形、四辺形以外の多角形、楕円形などであってもよい。
【００２３】
また、透明表板１１は、前面側から花１３を透視可能であればよく、無色透明でなくてもよい。例えば、着色されたガラスや樹脂が適用される構成であってもよい。
また、本考案の時計の種類は限定されるものではなく、壁掛け時計であってもよく、置時計であってもよい。
【産業上の利用可能性】
【００２４】
本考案は、時計において有効な技術である。
【符号の説明】
【００２５】
１：時計  １１：透明表板  １１ａ：貫通孔  １１ｂ：インデックス  １２：裏板  １２ａ：貫通孔  １３：花  １３ａ：貫通孔  １３ｂ：花弁  １４：ムーブメント  １４ａ：本体部  １４ｂ：突出部  １４ｃ：針  １４ｄ：回転軸  １５：第１のスペーサ  １５ａ：貫通孔  １６：第２のスペーサ  １７：ナット  １７ａ：大径部  １７ｂ：小径部
【図１】
0003171494.tif 000003
【図２】
0003171494.tif 000004
【図３】
0003171494.tif 000005